(57)【要約】【課題】シンギングボールの音程可変による演奏表現力向上。【解決手段】シンギングボールの底部付近に外部との流通口を設け液体の流入と流出可能とし液面位置を上下変化することにより発生音の音程を変化させる。【選択図】　　図６
2004118174.tif 000002
【特許請求の範囲】
【請求項１】
略円筒形状で内部に空間があり軸方向の一方を閉じ底部とし他方を開放したシンギングボールで、底部又は底部付近に外部との流通口を設けたことを特徴とするシンギングボール。
【請求項２】
流通口から液体又は気体の流入・流出を行い、発生・演奏する振動・音程の高低を調節する請求項１に記載のシンギングボール。
【請求項３】
流通口からの液体又は気体は伸縮性のある袋状の容器内にあることを特徴とする請求項１，２に記載のシンギングボール。
【請求項４】
液体又は気体を押し出しまた吸引するポンプを備え流路を持つチュウブにより流通口から液体又は気体の出入を行うことを特徴とする請求項１、２、３に記載のシンギングボール。
【請求項５】
開放した略円筒端面を摩擦することにより振動の発生と演奏を行う演奏部材を備えたことを特徴とする請求項１、２、３、４に記載のシンギングボール。
【請求項６】
演奏部材は振動又は回転して略円筒端面付近を摩擦する又は磁力・誘電力・静電力・気体噴出力・液体噴出力・放電・超音波・音波・打撃等の内すくなくとも一つを周期的に発生可能であり任意に設定した振動数の周期でシンギングボールを加振することを特徴とする請求項１乃至５に記載のシンギングボール。
【発明の詳細な説明】
【０００１】
【発明の属する技術分野】
本発明は、発生する振動音の高低を主に液体の流入・流出による液面の上下動位置で調節する音響発生楽器シンギングボールに関するものである。
【０００２】
【従来の技術】
シンギングボールは大きさ・形状・材質等で発生する振動・音程が異なり通常一個につき一音程であった、また、内部に水等の液体を入れた場合音程は変化するが演奏時連続して音程を変化させるには不便であった。
【０００３】
異なる音程を連続して発生するためには異なる各音程を発生するシンギングボールを必要な数揃えることになり設置場所・費用がかかっていた。また、振動発生の個体その物が別物となるため音色や響きを揃えるのが困難であった。
【０００４】
演奏部材はシンギングボールを叩く又擦ることで演奏を行うことであり安定した連続音を発生するには不充分であった。
【０００５】
【発明が解決しようとする課題】
同一個体で設置場所・費用を節減し大きさ・形状・材質等による音色・響きの不揃いを極力少なくし振動・音程の高低を演奏時連続的に変化させること、又、演奏部材に振動発生機能を持たせ安定した振動音を発生させることによりシンギングボールの音楽的な表現力を高めること。
【０００６】
【課題を解決するための手段】
本発明はシンギングボールの設置場所・費用を節減し、且つ音楽的な表現力を高めるためにシンギングボールの底部に外部に設けた液体供給装置と連通する液体流通口を設けて液体の流入・流出を行いシンギングボール一個体での振動・音程の高低を演奏時連続的に変化できることを可能とするものである。
【０００７】
又、演奏部材が振動や回転したり、磁力・誘電力・静電力・気体噴出力・液体噴出力・放電・超音波・音波・打撃等を周期的・連続的に発生してシンギングボールを加振することにより安定した連続音で演奏できるものである。
【０００８】
【発明の実施の形態】
以下、図面を参照して本発明の好ましい実施の形態を説明する。図１乃至図１０において、１はシンギングボール、１１は流通口、１２は空間、１３は磁性体、２は演奏部材、２１は加振部、２２は可動体、２３は駆動部、２４は調節部、２５は調節ツマミ、２６は電源、２７はケース、３はチューブ、４は液体容器、５は液体、５１は液面、５２は予備液体、６はポンプ、６１はピストン、６２は操作部、６３は付勢部材、６４は第１のポンプ、６５は第２のポンプ、６６は開閉弁、７は袋状の容器、８は気体である。
【０００９】
図１において、シンギングボール１は開放部を上方としその端面を演奏部材２で叩く或いは擦ることにより加振して振動・発音することにより演奏することができる、これは従来と同じ演奏方法でかまわない、が、本発明はこのシンギングボール１の底部に流通口１１を設けたものでありこの流通口１１から空間１２へ液体の流入・流出を行い発生・演奏する振動・音程の高低を調節するものである、又、演奏部材２はケース２７の一端に加振部２１を備え図の如くシンギングボール１の端面付近に接触して加振する或いは非接触で同端面付近を磁力・誘電力・静電力・気体噴出力・放電・液体噴出力・超音波・音波・光等で加振するものである。
【００１０】
シンギングボール１の材質はガラス・水晶・陶磁器・金属・セラミック・木・竹・プラスチック・ゴム等の単一又は複合・組合せで良い、又、演奏部材２で加振される部位のみ最適の材質や形状で構成しても良い。又、演奏部材２において加振部２１の接触する場合の材質は木・皮革・合成皮革・ゴム・エラストマー・布・フェルト・金属等で構成される、尚、表面には微小の凹凸を設けることができる。
【００１１】
図２は液体容器４に予備液体５２を貯えチューブ３により流通口１１から空間１２へ液体５を流入・流出するものである、振動・音程の高低を調節する液面５１の高さ位置は液体容器４とシンギングボール１との相対的な高さ位置により決めることができる。液体５、予備液体５２は水・油・アルコール・水銀・塩水・香水・コロイド溶液等単一又は複合液体で良い。又、チューブ３の材質はゴム・プラスチック・金属等で可撓性のものが良いが非加撓性でも可である。
【００１２】
図３は予備液体５２をポンプ６でシンギングボール１へ送り込む又吸引するものである、液面５１は操作部６２を付勢部材６３に抗して押し下げる、又、おし戻されることにより、ピストン６１の位置を変化させ液面５１の高さ位置を調節することができる。
【００１３】
図３での付勢部材６３は省略することができる、この場合操作部６２の操作は押し引きとなる、なをポンプ６はピストン式に限らず、厚肉ゴム風船状容器・ベローズ式等本発明の要旨を逸脱しない範囲で用いることができる。
【００１４】
図４は袋状の容器７を備え液体５が外部へ流出しない様にしたものである、袋状の容器７は例えば薄肉ゴム状で伸縮自在のもの、可撓性プラスチックフィルム状のもの等で構成される。
【００１５】
図５は袋状の容器７が液体５の中にあり流通口１１からチューブ３に連通しているものである、液面５１の高さ位置調節はチュウブ３からの気体の出し入れにより袋状の容器７が伸縮しその容積が変化することにより行うことができる。気体は移動速度が速く液面５１の高さ変化を速くすることができる。
【００１６】
図６は第１のポンプ６４、第２のポンプ６５を備えたものであり、第１のポンプ６４は予備液体５２を大量に送り出し且つ吸引できるものである、第２のポンプ６５は液面５１の微小の高さ変化を制御するものであり、開閉弁６６は第２のポンプ６５の動作時に第１のポンプ６４との干渉を遮断できるものである。ポンプはそれぞれピストン式、遠心式、ギアー式、厚肉ゴム風船状容器式、ベローズ式等を適宜選択使用することができる。
【００１７】
図７乃至図１０は演奏部材２に関する図である、図７ではケース２７内に駆動部２３、調節部２４、調節ツマミ２５、電源２６を備えており加振部２１は駆動部２３により駆動される可動体２２に取りつけられている、図７の例では駆動部２３はモーターであり加振部２１は調節部２４と調節ツマミ２５により回転数が制御される、尚、電源２６や調節部２４は別に設け電源コードで供給しても良い。
【００１８】
図８では駆動部２３は軸方向に往復振動するものである。尚、振動方向は軸方向に限らず回転方向や接線方向でもよい。又、振動波形はサイン波に限らず矩形波、ノコギリ波、パルス波等を使用することができる。駆動力はムービングコイル・ムービングマグネット・磁性体等を使用して発生させる、また、モーターの回転をカムやリンク機構等によって変換してもよい。
【００１９】
図９はシンギングボール１の端面付近に磁性体１３を備え、これに加振力として加振部２１から磁気を加えるものである、駆動部２３は電流−磁気変換を行い調節部２４、調節ツマミ２５により振動数を制御するものである。尚、駆動部２３の形状はシンボルとして表している。
【００２０】
図１０は吐出ノズルとした加振部２１からの気体噴出力によりシンギングボール１を振動させるものである。噴出力の方向は端面付近の側面或いは上面を水平・垂直、或いは角度をつけて演奏することが可能である。又、気体の他液体でも良い、気体は空気、液体は水を使用することができる。
【００２１】
【実施例】
本発明の実施例を図６に示す、第１のポンプ６４、第２のポンプ６５、開閉弁６６は電動式であり、手動遠隔操作・自動プログラム操作できる。シンギングボール１は演奏部材２によって発音・演奏される。音程の高低は液面５１を上下することにより調節する。液面が上がれば低音、液面が下がれば高音となり、液面の速い一定幅の上下動変化はヴィブラートになる。図示していないが振動音検出装置を備えている。
【００２２】
【発明の効果】
以上のように、本発明に係わる音響発生楽器シンギングボールはその発生音の高低を連続的に調節でき、又、任意・特定の音階に制御でき音楽的表現力が顕著に増大した。更に、複数のシンギングボールのハーモニー演奏を行うことができる。
【図面の簡単な説明】
【図１】本発明のシンギングボールの代表的形状を示す断面図と演奏部材である。
【図２】流通口から液体の流入・流出を簡単に行う実施例形状の断面図である。
【図３】流通口から液体の流入・流出を手動ポンプで行う実施例形状の断面図である。
【図４】液体が袋状の容器内にある実施例形状の断面図である。
【図５】気体が袋状の容器内にある実施例形状の断面図である。
【図６】本発明の実施例の断面図である。
【図７】本発明の演奏部材一実施例の断面図である。
【図８】本発明の演奏部材一実施例の断面図である。
【図９】本発明の演奏部材一実施例の断面図である。
【図１０】本発明の演奏部材一実施例の部分断面図である。
【符号の説明】
１　　シンギングボール
１１　流通口
１２　空間
１３　磁性体
２　　演奏部材
２１　加振部
２２　可動体
２３　駆動部
２４　調節部
２５　調節ツマミ
２６　電源
２７　ケース
３　　チューブ
４　　液体容器
５　　液体
５１　液面
５２　予備液体
６　　ポンプ
６１　ピストン
６２　操作部
６３　付勢部材
６４　第１のポンプ
６５　第２のポンプ
７　　袋状の容器
８　　気体
【図１】
2004118174.tif 000003
【図２】
2004118174.tif 000004
【図３】
2004118174.tif 000005
【図４】
2004118174.tif 000006
【図５】
2004118174.tif 000007
【図６】
2004118174.tif 000008
【図７】
2004118174.tif 000009
【図８】
2004118174.tif 000010
【図９】
2004118174.tif 000011
【図１０】
2004118174.tif 000012